(57)【要約】【課題】  封筒内に隠蔽はがきが封入されてなる送付体において、隠蔽はがきを封筒から取り出して送付する場合に、隠蔽はがきに記入された情報を隠蔽するためだけの隠蔽片を用いることなく、隠蔽はがきに記入された情報を隠蔽する。【解決手段】  隠蔽はがき２の一方の面に粘着剤７０を塗布し、また、この隠蔽はがき２が封入される封筒１の内面のうち一方の面に粘着剤４０を塗布し、粘着剤４０が塗布された面と粘着剤７０が塗布された面とが互いに対向しないように隠蔽はがき２を封筒１内に封入する。この粘着剤４０と粘着剤７０とは、互いにのみ貼着及び剥離可能である。【選択図】図３
2006347102.tif 000002
【特許請求の範囲】
【請求項１】
少なくとも一方の面に情報記入領域を有する隠蔽情報シートが封筒内に封入されてなる送付体であって、
前記封筒は、内面を構成する２つの面のうち、一方の面に前記情報記入領域を覆う大きさを有して他の領域から分離される分離領域が区画形成され、前記分離領域に第１の貼着手段からなる第１の貼着層が積層され、
前記隠蔽情報シートは、前記情報記入領域上に、筆記性を具備し、前記第１の貼着手段のみが貼着及び剥離可能な第２の貼着手段からなる第２の貼着層が積層され、該第２の貼着層が前記第１の貼着層と対向しないように前記封筒内に封入され、
前記第１の貼着手段は、前記第２の貼着手段のみが貼着及び剥離可能である送付体。
【発明の詳細な説明】
【技術分野】
【０００１】
本発明は、封筒内に隠蔽情報シートが封入されてなる送付体に関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とする隠蔽はがきが考えられている。
【０００３】
また、このような隠蔽はがきが封筒内に封入されてなる隠蔽はがき用シートを収納した封筒が考えられている（例えば、特許文献１参照。）。この隠蔽はがき用シートを収納した封筒は、隠蔽情報を記入するための情報記入領域を有するはがき片に折り部を介して隠蔽片が連接してなる隠蔽はがき用シートが、封筒内にその一部が綴じ合わされた状態で封入されたものであって、使用する場合には、隠蔽はがき用シートを封筒から取り出して情報記入領域に隠蔽情報を記入し、その後、隠蔽片に粘着剤によって剥離可能に貼着された剥離紙を剥離して粘着部を露出させ、この隠蔽片を折り部を介して情報記入領域に折り重ねて粘着剤によって貼着し、この隠蔽はがき用シートの送付先に送付することになる。この状態においては、情報記入領域上には隠蔽片が貼着されているため、情報記入領域に記入された隠蔽情報は隠蔽片によって外部から視認不可能となっている。
【０００４】
このように、隠蔽情報を記入するための情報記入領域を有するはがき片に折り部を介して隠蔽片が連接してなる隠蔽はがき用シートを、封筒内にその一部が綴じ合わされた状態で封入しておくことにより、はがき片の情報記入領域が風雨に曝される等によって損傷されることを回避することができる。
【特許文献１】特開平７−３００１４０号公報
【発明の開示】
【発明が解決しようとする課題】
【０００５】
しかしながら、上述したように、隠蔽情報を記入するための情報記入領域を有するはがき片に折り部を介して隠蔽片が連接してなる隠蔽はがき用シートを封筒内に封入しておくものにおいては、情報記入領域に記入された情報を隠蔽するための隠蔽片がはがき片に連接されているため、封筒に封入されるシート自体が大型化してしまい、このシートをはがき片と隠蔽片とで折り畳まずに封筒に封入しておく場合、封筒の大きさも大型化してしまうという問題点がある。
【０００６】
また、はがき片の情報記入領域上に隠蔽片を貼着する前の状態では、隠蔽片に粘着剤によって剥離紙を剥離可能に貼付しておく必要があるため、その分のコストアップが生じてしまうとともに、剥離紙を剥離した後、この剥離紙によるごみが生じてしまうという問題点がある。
【０００７】
本発明は、上述したような従来の技術が有する問題点に鑑みてなされたものであって、封筒内に隠蔽情報シートが封入されてなる送付体において、隠蔽情報シートを封筒から取り出して送付する場合に、隠蔽情報シートに記入された情報を隠蔽するためだけの隠蔽片を用いることなく、隠蔽情報シートに記入された情報を隠蔽することができる送付体を提供することを目的とする。
【課題を解決するための手段】
【０００８】
上記目的を達成するために本発明は、
少なくとも一方の面に情報記入領域を有する隠蔽情報シートが封筒内に封入されてなる送付体であって、
前記封筒は、内面を構成する２つの面のうち、一方の面に前記情報記入領域を覆う大きさを有して他の領域から分離される分離領域が区画形成され、前記分離領域に第１の貼着手段からなる第１の貼着層が積層され、
前記隠蔽情報シートは、前記情報記入領域上に、筆記性を具備し、前記第１の貼着手段のみが貼着及び剥離可能な第２の貼着手段からなる第２の貼着層が積層され、該第２の貼着層が前記第１の貼着層と対向しないように前記封筒内に封入され、
前記第１の貼着手段は、前記第２の貼着手段のみが貼着及び剥離可能である。
【０００９】
上記のように構成された本発明においては、隠蔽情報シートが封筒内に封入された状態でこの送付体の送付先に送付されることになるが、その際、封筒の内面に積層された第１の貼着層を構成する第１の貼着手段は、封筒内に封入された隠蔽情報シートに積層された第２の貼着層を構成する第２の貼着手段のみが貼着可能であり、また、隠蔽情報シートに積層された第２の貼着層を構成する第２の貼着手段においても、封筒の内面に積層された第１の貼着層を構成する第１の貼着手段のみが貼着可能であり、さらに、第１の貼着層が積層された封筒の内面と、隠蔽情報シートに積層された第２の貼着層とが互いに対向しないように隠蔽情報シートが封筒内に封入されているため、隠蔽情報シートが封筒の内面に貼着してしまうことはない。この送付体が送付先に届けられた後、封筒から隠蔽情報シートが取り出され、隠蔽情報シートの情報記入領域に情報が記入されることになるが、情報記入領域上に積層された第２の貼着層を構成する第２の貼着手段は筆記性を具備するため、情報を記入することができる。その後、封筒に区画形成された分離領域が他の領域から分離され、分離領域に積層された第１の貼着層と隠蔽情報シートの情報記入領域上に積層された第２の貼着層とによって、隠蔽情報シートの情報記入領域上に封筒から分離された分離領域が貼着される。これにより、情報記入領域に記入された情報が封筒の分離領域によって隠蔽されることになる。この状態で隠蔽情報シートが送付されれば、隠蔽情報シートの送付途中にて情報記入領域に記入された情報が外部から見られてしまうことがない。隠蔽情報シートと封筒の分離領域とを貼着している第１の貼着手段と第２の貼着手段とは、剥離可能であるため、隠蔽情報シートが送付先に届いた後、隠蔽情報シートから封筒の分離領域を剥離することによって、隠蔽情報シートの情報記入領域に記入された情報が視認可能となり、隠蔽情報シートの情報記入領域に記入された情報が隠蔽情報シートの送付先に伝達されることになる。
【発明の効果】
【００１０】
以上説明したように本発明においては、隠蔽情報シートに設けられた情報記入領域上に第２の貼着手段からなる第２の貼着層が積層され、また、この隠蔽情報シートが封入される封筒の内面のうち一方の面に区画形成された分離領域に第１の貼着手段からなる第１の貼着層が積層され、この第１の貼着手段と第２の貼着手段とが互いにのみ貼着及び剥離可能であるため、封筒に区画形成された分離領域を封筒の他の領域から分離して情報記入領域に貼着することにより、情報記入領域に記入された情報を隠蔽することができる。また、隠蔽情報シートが封筒に封入されている状態においては、第１の貼着層が積層された封筒の内面と、隠蔽情報シートに積層された第２の貼着層とが互いに対向しないように隠蔽情報シートが封筒内に封入されているため、隠蔽情報シートが封筒の内面に貼着してしまうことはない。
【００１１】
このように、隠蔽情報シートが封入される封筒の一部を用いて、隠蔽情報シートの情報記入領域に記入された情報を隠蔽するため、隠蔽情報シートが大型化してしまったり、剥離紙によるごみが生じてしまったりすることがなくなる。
【発明を実施するための最良の形態】
【００１２】
以下に、本発明の実施の形態について図面を参照して説明する。
【００１３】
（第１の実施の形態）
図１は、本発明の送付体の第１の実施の形態を構成する封筒を示す図であり、（ａ）は内面の構成を示す図、（ｂ）は（ａ）に示したＡ−Ａ’断面図、（ｃ）は表面の構成を示す図である。また、図２は、図１に示した封筒１に封入される隠蔽はがきを示す図であり、（ａ）は表面の構成を示す図、（ｂ）は（ａ）に示したＡ−Ａ’断面図、（ｃ）は裏面の構成を示す図である。
【００１４】
本形態における封筒は図１に示すように、前面片１０と後面片２０とが折り線３０を介して折り畳み可能に連接してなるものであって、その周囲に開封用のミシン目３１が形成されている。
【００１５】
前面片１０は、封筒１の表面となる側に、この送付体の送付先の住所や氏名等からなる宛先情報１１が記載されている。
【００１６】
後面片２０は、封筒１の内面となる側において、ミシン目３１の外側となる領域に接着力が強い粘着剤５０が塗布されるとともに、ミシン目３１の内側となる領域には、ベース基材１ａ上に第１の貼着手段である透明な粘着剤４０が塗布されることにより第１の貼着層が積層されている。また、この粘着剤４０が塗布された領域にミシン目２２によって他の領域から分離される分離領域２１が区画形成されている。
【００１７】
このように構成された封筒１に封入される隠蔽情報シートとなる隠蔽はがきは図２に示すように、その表面に、この隠蔽はがき２の送付先の住所や氏名等からなる宛先情報６１が記載されており、その裏面には、隠蔽情報を記入するための情報記入領域６２が設けられているとともに、はがき基材２ａ上に第２の貼着手段である透明な粘着剤７０が塗布されることにより第２の貼着層が積層されている。
【００１８】
ここで、図１に示した封筒１の内面に塗布された粘着剤４０と、図２に示した隠蔽はがき２の裏面に塗布された粘着剤７０について詳細に説明する。
【００１９】
粘着剤４０，７０は、自己粘着性を有する高分子ポリマー等の同一の材料からなり、手で押し付ける等といった通常の圧力で自己のみが貼着及び剥離可能なものである。すなわち、粘着剤４０は、粘着剤７０のみが貼着及び剥離可能なものであり、また、粘着剤７０は粘着剤４０のみが貼着及び剥離可能なものであり、それにより、封筒１の粘着剤４０が塗布された面は、隠蔽はがき２の粘着剤７０が塗布された面とのみ貼着し、他の紙や樹脂とは貼着しない。また、隠蔽はがき２の粘着剤７０が塗布された面についても、封筒１の粘着剤４０が塗布された面とのみ貼着し、他の紙や樹脂とは貼着しない。このように、粘着剤４０，７０としては、常温、常圧において自着性を有し他着性を有さないものが挙げられる。この粘着剤４０，７０の一例としては、リカボンドＡＰ−２１７（中央理化製）が挙げられる。また、はがき基材２ａ上に粘着剤７０が塗布されてなる第２の貼着層は筆記性を有するため、はがき基材２ａ上に粘着剤７０が塗布されてなる隠蔽はがき２の情報記入領域６２には情報の記入が可能となっている。
【００２０】
以下に、上記のように構成された送付体の使用方法について説明する。
【００２１】
まず、図２に示した隠蔽はがき２を図１に示した封筒１内に封入する。本形態においては、封筒１が図１に示したように見開いている状態において、前面片１０あるいは後面片２０上のミシン目３１の内側となる領域に隠蔽はがき２を載置し、その後、前面片１０と後面片２０とを折り線３０を介して折り畳み、後面片２０に塗布された粘着剤５０によって前面片１０と後面片２０とを貼着する。なおこの際、隠蔽はがき２の裏面すなわち粘着剤７０が塗布された面と後面片２０とが互いに対向しないように隠蔽はがき２を封筒１内に封入することになる。すなわち、前面片１０上に隠蔽はがき２を載置する場合は、隠蔽はがき２の裏面すなわち粘着剤７０が塗布された面が前面片１０に対向するように前面片１０上に隠蔽はがき２を載置し、また、後面片２０上に隠蔽はがき２を載置する場合は、隠蔽はがき２の表面すなわち粘着剤７０が塗布されていない面が後面片２０に対向するように前面片１０上に隠蔽はがき２を載置する。
【００２２】
図３は、図２に示した隠蔽はがき２が図１に示した封筒１内に封入された状態を示す図であり、（ａ）は前面片１０側から見た図、（ｂ）は（ａ）に示したＡ−Ａ’断面図である。
【００２３】
図３に示すように、図２に示した隠蔽はがき２が図１に示した封筒１内に封入された場合、封筒１の後面片２０と隠蔽はがき２とが、封筒１の後面片２０に塗布された粘着剤４０を介して対向することになる。ところが、封筒１の粘着剤４０が塗布された面は、隠蔽はがき２の粘着剤７０が塗布された面とのみ貼着し、他の紙や樹脂とは貼着しないため、封筒１の後面片２０と隠蔽はがき２とがこの粘着剤４０によって貼着されてしまうことはない。また、封筒１の前面片１０と隠蔽はがき２とが、隠蔽はがき２の裏面に塗布された粘着剤７０を介して対向することになる。ところが、隠蔽はがき２の粘着剤７０が塗布された面は、封筒１の粘着剤４０が塗布された面とのみ貼着し、他の紙や樹脂とは貼着しないため、封筒１の前面片１０と隠蔽はがき２とがこの粘着剤７０によって貼着されてしまうことはない。
【００２４】
このような状態で、封筒１内に隠蔽はがき２が封入された送付体が、封筒１の前面片１０に記載された宛先情報１１にしたがって送付体の送付先に送付されることになる。
【００２５】
送付体がその送付先にて受け取られると、送付体の送付先において、まず、ミシン目３１が断裁することにより封筒１を開封し、封筒１内から隠蔽はがき２を取り出す。そして、隠蔽はがき２に設けられた情報記入領域６２に、隠蔽はがき２の送付先に通知すべき情報を記入することになる。この際、上述したように、はがき基材２ａ上に塗布された粘着剤７０は筆記性を有するものであるため、はがき基材２ａ上に粘着剤７０が塗布されてなる隠蔽はがき２の情報記入領域６２には情報を記入することができる。このように情報記入領域６２に情報を記入することにより、隠蔽はがき２に情報を付与することになる。
【００２６】
次に、封筒１の分離領域２１をミシン目２２を介して他の領域から分離する。なお、この分離領域２１の封筒１からの分離においては、ミシン目２２によって分離することに限らず、分離領域２１の周囲に分離線を印刷しておき、この分離線をはさみ等で断裁することにより分離することも考えられる。
【００２７】
そして、封筒１から分離された分離領域２１を隠蔽はがき２の情報記入領域６２上に重ね合わせ、粘着剤４０，７０によってこれらを互いに貼着する。なお、粘着剤４０，７０は互いにのみ貼着可能であるため、これらを用いて隠蔽はがき２の情報記入領域６２上に封筒１の分離領域２１を貼着することができる。
【００２８】
図４は、図２に示した隠蔽はがき２の情報記入領域６２上に封筒１の分離領域２１が貼着された状態を示す図であり、（ａ）は隠蔽はがき２の裏面から見た図、（ｂ）は（ａ）に示したＡ−Ａ’断面図である。
【００２９】
図４に示すように、図２に示した隠蔽はがき２の情報記入領域６２上に封筒１の分離領域２１が粘着剤４０，７０によって貼着された状態においては、情報記入領域６２に記入された情報は、分離領域２１によって覆われているため、外部から視認不可能となる。
【００３０】
このように隠蔽はがき２の情報記入領域６２上に封筒１の分離領域２１が貼着された状態において、この隠蔽はがき２を、隠蔽はがき２の表面に記載された宛先情報６１にしたがって送付先に送付することになる。この状態においては、情報記入領域６２に記入された情報が分離領域２１によって隠蔽されているため、隠蔽はがき２の送付途中において、情報記入領域６２に記入された情報が見られてしまうことはない。
【００３１】
その後、この隠蔽はがき２がその送付先にて受け取られると、隠蔽はがき２から分離領域２１が剥離される。なお、粘着剤４０，７０は互いに剥離可能であるため、隠蔽はがき２の情報記入領域６２上に封筒１の分離領域２１が貼着された後に隠蔽はがき２から分離領域２１を粘着剤４０，７０を介して剥離することができる。
【００３２】
図５は、図４に示したように隠蔽はがき２の情報記入領域６２上に封筒１の分離領域２１が貼着された後に隠蔽はがき２から分離領域２１が剥離された状態を示す図である。
【００３３】
図５に示すように、隠蔽はがき２から分離領域２１が剥離されると、隠蔽はがき２の情報記入領域６２に記入された情報６３が外部から視認可能な状態となる。
【００３４】
これにより、隠蔽はがき２の送付先に、情報記入領域６２に記入された情報６３を通知しながらも、隠蔽はがき２の送付途中において、この隠蔽はがき２が封入されていた封筒１に区画形成された分離領域２１を用いて、情報記入領域６２に記入された情報が見られてしまうことを防止することができる。
【００３５】
なお、本形態においては、封筒１に封入される隠蔽はがき２の裏面の全面に粘着剤７０が塗布されているが、少なくとも、情報記入領域６２を含み、封筒１の分離領域２１によって覆われる領域に粘着剤７０が塗布されていればよい。また、後面片２０に塗布された粘着剤４０についても、後面片２０のミシン目３１の内側となる領域の全面に塗布されていなくても、少なくとも分離領域２１に塗布されていればよい。
【００３６】
（第２の実施の形態）
図６は、本発明の送付体の第２の実施の形態を構成する封筒を示す図であり、（ａ）は内面の構成を示す図、（ｂ）は（ａ）に示したＡ−Ａ’断面図、（ｃ）は表面の構成を示す図である。また、図７は、図６に示した封筒１０１に封入される隠蔽はがきを示す図であり、（ａ）は表面の構成を示す図、（ｂ）は（ａ）に示したＡ−Ａ’断面図、（ｃ）は裏面の構成を示す図である。
【００３７】
本形態における封筒は図６に示すように、前面片１１０と後面片１２０とが折り線１３０を介して折り畳み可能に連接するとともに、前面片１１０の折り線１３０とは反対側にフラップ部１８０が折り線１３１を介して折り畳み可能に連接して構成されている。
【００３８】
前面片１１０は、封筒１０１の表面となる側に、この送付体の送付先の住所や氏名等からなる宛先情報１１１が記載されている。また、折り線１３０，１３１に隣接する辺が折り線１１２ａ，１１２ｂとなってこの折り線１１２ａ，１１２ｂを介して接着部１１３ａ，１１３ｂが突出するように設けられている。この接着部１１３ａ，１１３ｂの、封筒１０１の外側となる面には、接着力が強い粘着剤１５０が塗布されており、接着部１１３ａ，１１３ｂが折り線１１２ａ，１１２ｂにて折り畳まれ、この粘着剤１５０によって後面片１２０と接着されることにより、前面片１１０と後面片１２０とで袋状となる。
【００３９】
後面片１２０は、封筒１０１の内面となる側の全面に、ベース基材１０１ａ上に第１の貼着手段である透明な粘着剤１４０が塗布されることにより第１の貼着層が積層されている。また、ミシン目１２２によって他の領域から分離される分離領域１２１が区画形成されている。
【００４０】
フラップ部１８０は、折り線１３０にて前面片１１０と後面片１２０とが折り畳まれ、かつ、折り線１３１にて折り畳まれた場合に後面片１２０と対向する面に、接着部１１３ａ，１１３ｂと同様の粘着剤１５０が塗布されている。
【００４１】
このように構成された封筒１０１に封入される隠蔽情報シートとなる隠蔽はがきは図７に示すように、その表面に、この隠蔽はがき１０２の送付先の住所や氏名等からなる宛先情報１６１が記載されており、その裏面には、隠蔽情報を記入するための情報記入領域１６２が設けられているとともに、はがき基材１０２ａ上に第２の貼着手段である透明な粘着剤１７０が塗布されることにより第２の貼着層が積層されている。
【００４２】
なお、粘着剤１４０，１７０については、第１の実施の形態にて説明したようなものが用いられる。
【００４３】
以下に、上記のように構成された送付体の使用方法について説明する。
【００４４】
まず、図７に示した隠蔽はがき１０２を図６に示した封筒１０１内に封入する。本形態においては、上述したように、封筒１０１の前面片１１０の接着部１１３ａ，１１３ｂを折り線１１２ａ，１１２ｂにて折り畳み、接着部１１３ａ，１１３ｂに塗布された粘着剤１５０によって接着部１１３ａ，１１３ｂを後面片１２０と接着することにより、前面片１１０と後面片１２０とを接着して袋状の封筒１０１を形成し、この袋状となった封筒１０１に隠蔽はがき１０２を封入する。この際、隠蔽はがき１０２の裏面すなわち粘着剤１７０が塗布された面と後面片１２０とが互いに対向しないように隠蔽はがき１０２を封筒１０１内に封入することになる。そして、隠蔽はがき１０２を封筒１０１内に封入した後、フラップ部１８０を折り部１３１にて折り畳み、フラップ部１８０に塗布された粘着剤１５０によってフラップ部１８０と後面片１２０とを接着し、封筒１０１を封緘する。
【００４５】
図８は、図７に示した隠蔽はがき１０２が図６に示した封筒１０１内に封入された状態を示す図であり、（ａ）は前面片１０側から見た図、（ｂ）は（ａ）に示したＡ−Ａ’断面図である。
【００４６】
図８に示すように、図７に示した隠蔽はがき１０２が図６に示した封筒１０１内に封入された場合、封筒１０１の後面片１２０と隠蔽はがき１０２とが、封筒１０１の後面片１２０に塗布された粘着剤１４０を介して対向することになる。ところが、封筒１０１の粘着剤１４０が塗布された面は、隠蔽はがき１０２の粘着剤１７０が塗布された面とのみ貼着し、他の紙や樹脂とは貼着しないため、封筒１０１の後面片１２０と隠蔽はがき１０２とがこの粘着剤１４０によって貼着されてしまうことはない。また、封筒１０１の前面片１１０と隠蔽はがき１０２とが、隠蔽はがき１０２の裏面に塗布された粘着剤１７０を介して対向することになる。ところが、隠蔽はがき１０２の粘着剤１７０が塗布された面は、封筒１０１の粘着剤１４０が塗布された面とのみ貼着し、他の紙や樹脂とは貼着しないため、封筒１０１の前面片１１０と隠蔽はがき１０２とがこの粘着剤１７０によって貼着されてしまうことはない。
【００４７】
このような状態で、封筒１０１内に隠蔽はがき１０２が封入された送付体が、封筒１０１の前面片１１０に記載された宛先情報１１１にしたがって送付体の送付先に送付されることになる。
【００４８】
送付体がその送付先にて受け取られると、送付体の送付先において、まず、フラップ部１８０を断裁する等により封筒１０１を開封し、封筒１０１内から隠蔽はがき１０２を取り出す。そして、隠蔽はがき１０２に設けられた情報記入領域１６２に、隠蔽はがき１０２の送付先に通知すべき情報を記入することになる。この際、上述したように、はがき基材１０２ａ上に塗布された粘着剤１７０は筆記性を有するものであるため、はがき基材１０２ａ上に粘着剤１７０が塗布されてなる隠蔽はがき１０２の情報記入領域１６２には情報を記入することができる。このように情報記入領域１６２に情報を記入することにより、隠蔽はがき１０２に情報を付与することになる。
【００４９】
次に、封筒１０１の分離領域１２１をミシン目１２２を介して他の領域から分離する。なお、この分離領域１２１の封筒１０１からの分離においては、ミシン目１２２によって分離することに限らず、分離領域１２１の周囲に分離線を印刷しておき、この分離線をはさみ等で断裁することにより分離することも考えられる。
【００５０】
そして、封筒１０１から分離された分離領域１２１を隠蔽はがき１０２の情報記入領域１６２上に重ね合わせ、粘着剤１４０，１７０によってこれらを互いに貼着する。なお、粘着剤１４０，１７０は互いにのみ貼着可能であるため、これらを用いて隠蔽はがき１０２の情報記入領域１６２上に封筒１０１の分離領域１２１を貼着することができる。
【００５１】
図９は、図７に示した隠蔽はがき１０２の情報記入領域１６２上に封筒１０１の分離領域１２１が貼着された状態を示す図であり、（ａ）は隠蔽はがき１０２の裏面から見た図、（ｂ）は（ａ）に示したＡ−Ａ’断面図である。
【００５２】
図９に示すように、図７に示した隠蔽はがき１０２の情報記入領域１６２上に封筒１０１の分離領域１２１が粘着剤１４０，１７０によって貼着された状態においては、情報記入領域１６２に記入された情報は、分離領域１２１によって覆われているため、外部から視認不可能となる。
【００５３】
このように隠蔽はがき１０２の情報記入領域１６２上に封筒１０１の分離領域１２１が貼着された状態において、この隠蔽はがき１０２を、隠蔽はがき１０２の表面に記載された宛先情報１６１にしたがって送付先に送付することになる。この状態においては、情報記入領域１６２に記入された情報が分離領域１２１によって隠蔽されているため、隠蔽はがき１０２の送付途中において、情報記入領域１６２に記入された情報が見られてしまうことはない。
【００５４】
その後、この隠蔽はがき１０２がその送付先にて受け取られると、隠蔽はがき１０２から分離領域１２１が剥離される。なお、粘着剤１４０，１７０は互いに剥離可能であるため、隠蔽はがき１０２の情報記入領域１６２上に封筒１０１の分離領域１２１が貼着された後に隠蔽はがき１０２から分離領域１２１を粘着剤１４０，１７０を介して剥離することができる。
【００５５】
図１０は、図９に示したように隠蔽はがき１０２の情報記入領域１６２上に封筒１０１の分離領域１２１が貼着された後に隠蔽はがき１０２から分離領域１２１が剥離された状態を示す図である。
【００５６】
図１０に示すように、隠蔽はがき１０２から分離領域１２１が剥離されると、隠蔽はがき１０２の情報記入領域１６２に記入された情報１６３が外部から視認可能な状態となる。
【００５７】
これにより、隠蔽はがき１０２の送付先に、情報記入領域１６２に記入された情報１６３を通知しながらも、隠蔽はがき１０２の送付途中において、この隠蔽はがき１０２が封入されていた封筒１０１に区画形成された分離領域１２１を用いて、情報記入領域１６２に記入された情報が見られてしまうことを防止することができる。
【００５８】
なお、本形態においては、封筒１０１に封入される隠蔽はがき１０２の裏面の全面に粘着剤１７０が塗布されているが、少なくとも、情報記入領域１６２を含み、封筒１０１の分離領域１２１によって覆われる領域に粘着剤１７０が塗布されていればよい。また、後面片１２０に塗布された粘着剤１４０についても、後面片１２０の全面に塗布されていなくても、少なくとも分離領域１２１に塗布されていればよい。
【００５９】
（第３の実施の形態）
図１１は、本発明の送付体の第３の実施の形態を構成する封筒を示す図であり、（ａ）は内面の構成を示す図、（ｂ）は（ａ）に示したＡ−Ａ’断面図、（ｃ）は表面の構成を示す図である。また、図１２は、図１１に示した封筒２０１に封入される隠蔽はがきを示す図であり、（ａ）は表面の構成を示す図、（ｂ）は（ａ）に示したＡ−Ａ’断面図、（ｃ）は裏面の構成を示す図である。
【００６０】
本形態における封筒は図１１に示すように、前面片２１０と後面片２２０とが折り線２３０を介して折り畳み可能に連接してなるものであって、その周囲に開封用のミシン目２３１が形成されている。
【００６１】
前面片２１０は、封筒２０１の表面となる側に、この送付体の送付先の住所や氏名等からなる宛先情報２１１が記載されている。
【００６２】
後面片２２０は、封筒２０１の内面となる側において、ミシン目２３１の外側となる領域に接着力が強い粘着剤５０が塗布されるとともに、ミシン目２３１の内側となる領域の一部には、ベース基材２０１ａ上に第１の貼着手段である透明な粘着剤２４０が塗布されることにより第１の貼着層が積層されている。また、この粘着剤２４０が塗布された領域にミシン目２２２によって他の領域から分離される２つの分離領域２２１ａ，２２１ｂが区画形成されている。
【００６３】
このように構成された封筒２０１に封入される隠蔽情報シートとなる隠蔽はがきは図１２に示すように、その表面に、この隠蔽はがき２０２の送付先の住所や氏名等からなる宛先情報２６１が記載されているとともに、隠蔽情報を記入するための情報記入領域２６２ａが設けられ、この情報記入領域２６２ａには、はがき基材２ａ上に第２の貼着手段である透明な粘着剤２７０が塗布されることにより第２の貼着層が積層されている。また、裏面には、隠蔽情報を記入するための情報記入領域２６２ｂが設けられているとともに、はがき基材２０２ａ上に第２の貼着手段である透明な粘着剤２７０が塗布されることにより第２の貼着層が積層されている。
【００６４】
なお、粘着剤２４０，２７０については、第１の実施の形態にて説明したようなものが用いられる。
【００６５】
以下に、上記のように構成された送付体の使用方法について説明する。
【００６６】
まず、図１２に示した隠蔽はがき２０２を図１１に示した封筒２０１内に封入する。本形態においては、封筒２０１が図１１に示したように見開いている状態において、前面片２１０あるいは後面片２２０上のミシン目２３１の内側となる領域に隠蔽はがき２０２を載置し、その後、前面片２１０と後面片２２０とを折り線２３０を介して折り畳み、後面片２２０に塗布された粘着剤２５０によって前面片２１０と後面片２２０とを貼着する。なおこの際、隠蔽はがき２０２の裏面と後面片２２０とが互いに対向しないように、かつ、隠蔽はがき２０２の表面の粘着剤２７０が塗布された領域と後面片２２０の粘着剤２４０が塗布された領域とが対向しないように隠蔽はがき２０２を封筒１内に封入することになる。すなわち、前面片２１０上に隠蔽はがき２０２を載置する場合は、隠蔽はがき２０２の裏面が前面片２１０に対向し、かつ、この上に後面片２２０が重ね合わされた場合に隠蔽はがき２０２の表面の粘着剤２７０が塗布された領域と後面片２２０の粘着剤２４０が塗布された領域とが対向しないように前面片２１０上に隠蔽はがき２０２を載置し、また、後面片２２０上に隠蔽はがき２０２を載置する場合は、隠蔽はがき２０２の表面が後面片２２０に対向し、かつ、隠蔽はがき２０２の表面の粘着剤２７０が塗布された領域と後面片２２０の粘着剤２４０が塗布された領域とが対向しないように前面片２１０上に隠蔽はがき２０２を載置する。
【００６７】
図１３は、図１２に示した隠蔽はがき２０２が図１１に示した封筒２０１内に封入された状態を示す図であり、（ａ）は前面片２１０側から見た図、（ｂ）は（ａ）に示したＡ−Ａ’断面図である。
【００６８】
図１３に示すように、図１２に示した隠蔽はがき２０２が図１１に示した封筒２０１内に封入された場合、封筒２０１の後面片２２０と隠蔽はがき２０２とが、封筒２０１の後面片２２０に塗布された粘着剤２４０あるいは隠蔽はがき２０２に塗布された粘着剤２７０を介して対向することになる。ところが、封筒２０１の粘着剤２４０が塗布された面は、隠蔽はがき２０２の粘着剤２７０が塗布された面とのみ貼着し、他の紙や樹脂とは貼着せず、また、隠蔽はがき２０２の粘着剤２７０が塗布された面は、封筒２０１の粘着剤２４０が塗布された面とのみ貼着し、他の紙や樹脂とは貼着しないため、封筒２０１の後面片２２０と隠蔽はがき２０２とがこの粘着剤２４０，２７０によって貼着されてしまうことはない。また、封筒２０１の前面片２１０と隠蔽はがき２０２とが、隠蔽はがき２０２の裏面に塗布された粘着剤２７０を介して対向することになる。ところが、隠蔽はがき２０２の粘着剤２７０が塗布された面は、封筒２０１の粘着剤２４０が塗布された面とのみ貼着し、他の紙や樹脂とは貼着しないため、封筒２０１の前面片２１０と隠蔽はがき２０２とがこの粘着剤２７０によって貼着されてしまうことはない。
【００６９】
このような状態で、封筒２０１内に隠蔽はがき２０２が封入された送付体が、封筒２０１の前面片２１０に記載された宛先情報２１１にしたがって送付体の送付先に送付されることになる。
【００７０】
送付体がその送付先にて受け取られると、送付体の送付先において、まず、ミシン目２３１が断裁することにより封筒２０１を開封し、封筒２０１内から隠蔽はがき２０２を取り出す。そして、隠蔽はがき２０２に設けられた情報記入領域２６２ａ，２６２ｂに、隠蔽はがき２０２の送付先に通知すべき情報をそれぞれ記入することになる。この際、上述したように、はがき基材２０２ａ上に塗布された粘着剤２７０は筆記性を有するものであるため、はがき基材２０２ａ上に粘着剤２７０が塗布されてなる隠蔽はがき２０２の情報記入領域２６２ａ，２６２ｂには情報を記入することができる。このように情報記入領域２６２ａ，２６２ｂに情報を記入することにより、隠蔽はがき２０２に情報を付与することになる。
【００７１】
次に、封筒２０１の分離領域２２１ａ，２２１ｂをミシン目２２２を介して他の領域からそれぞれ分離する。なお、この分離領域２２１ａ，２２１ｂの封筒２０１からの分離においては、ミシン目２２２によって分離することに限らず、分離領域２２１ａ，２２１ｂの周囲に分離線を印刷しておき、この分離線をはさみ等で断裁することにより分離することも考えられる。
【００７２】
そして、封筒２０１から分離された分離領域２２１ａ，２２１ｂを隠蔽はがき２０２の情報記入領域２６２ａ，２６２ｂ上にそれぞれ重ね合わせ、粘着剤２４０，２７０によってこれらを互いに貼着する。なお、粘着剤２４０，２７０は互いにのみ貼着可能であるため、これらを用いて隠蔽はがき２０２の情報記入領域２６２ａ，２６２ｂ上に封筒２０１の分離領域２２１ａ，２２１ｂを貼着することができる。
【００７３】
図１４は、図１２に示した隠蔽はがき２０２の情報記入領域２６２ａ，２６２ｂ上に封筒２０１の分離領域２２１ａ，２２１ｂが貼着された状態を示す図であり、（ａ）は隠蔽はがき２０２の表面から見た図、（ｂ）は隠蔽はがき２０２の裏面から見た図である。
【００７４】
図１４（ａ）に示すように、図１２に示した隠蔽はがき２０２の表面に設けられた情報記入領域２６２ａ上に封筒２０１の分離領域２２１ａが貼着された状態においては、情報記入領域２６２ａに記入された情報は、分離領域２２１ａによって覆われているため、外部から視認不可能となる。
【００７５】
また、図１４（ｂ）に示すように、図１２に示した隠蔽はがき２０２の裏面に設けられた情報記入領域２６２ｂ上に封筒２０１の分離領域２２１ｂが貼着された状態においては、情報記入領域２６２ｂに記入された情報は、分離領域２２１ｂによって覆われているため、外部から視認不可能となる。
【００７６】
このように隠蔽はがき２０２の情報記入領域２６２ａ，２６２ｂ上に封筒２０１の分離領域２２１ａ，２２１ｂがそれぞれ貼着された状態において、この隠蔽はがき２０２を、隠蔽はがき２０２の表面に記載された宛先情報２６１にしたがって送付先に送付することになる。この状態においては、情報記入領域２６２ａ，２６２ｂに記入された情報が分離領域２２１ａ，２２１ｂによってそれぞれ隠蔽されているため、隠蔽はがき２０２の送付途中において、情報記入領域２６２ａ，２６２ｂに記入された情報が見られてしまうことはない。
【００７７】
その後、この隠蔽はがき２０２がその送付先にて受け取られると、隠蔽はがき２０２から分離領域２２１ａ，２２１ｂがそれぞれ剥離される。なお、粘着剤２４０，２７０は互いに剥離可能であるため、隠蔽はがき２０２の情報記入領域２６２ａ，２６２ｂ上に封筒２０１の分離領域２２１ａ，２２１ｂが貼着された後に隠蔽はがき２０２から分離領域２２１ａ，２２１ｂを粘着剤２４０，２７０を介してそれぞれ剥離することができる。
【００７８】
図１５は、図１４に示したように隠蔽はがき２０２の情報記入領域２６２ａ，２６２ｂ上に封筒２０１の分離領域２２１ａ，２２１ｂが貼着された後に隠蔽はがき２０２から分離領域２２１ａ，２２１ｂが剥離された状態を示す図であり、（ａ）は隠蔽はがき２０２の表面を示す図、（ｂ）は隠蔽はがき２０２の裏面を示す図である。
【００７９】
図１５（ａ）に示すように、隠蔽はがき２０２から分離領域２２１ａが剥離されると、隠蔽はがき２０２の情報記入領域２６２ａに記入された情報２６３ａが外部から視認可能な状態となる。
【００８０】
また、図１５（ｂ）に示すように、隠蔽はがき２０２から分離領域２２１ｂが剥離されると、隠蔽はがき２０２の情報記入領域２６２ｂに記入された情報２６３ｂが外部から視認可能な状態となる。
【００８１】
これにより、隠蔽はがき２０２の送付先に、情報記入領域２６２ａ，２６２ｂに記入された情報２６３ａ，２６３ｂを通知しながらも、隠蔽はがき２０２の送付途中において、この隠蔽はがき２０２が封入されていた封筒２０１に区画形成された分離領域２２１ａ，２２１ｂを用いて、情報記入領域２６２ａ，２６２ｂに記入された情報が見られてしまうことを防止することができる。
【００８２】
なお、本形態においては、封筒２０１に封入される隠蔽はがき２０２の裏面の全面に粘着剤２７０が塗布されているが、少なくとも、情報記入領域２６２ｂを含み、封筒２０１の分離領域２２１ｂによって覆われる領域に粘着剤２７０が塗布されていればよい。
【００８３】
また、本形態においては、封筒２０１の後面片２２０に２つの分離領域２２１ａ，２２１ｂが区画形成されているが、後面片２２０に区画形成される分離領域の数はこれに限らない。
【００８４】
また、上述した３つの実施の形態においては、粘着剤４０，７０、粘着剤１４０，１７０及び粘着剤２４０，２７０をそれぞれ、自己粘着性を有する高分子ポリマー等の同一の材料からなるものとしたが、互いにのみ貼着及び剥離可能であり、かつ、他の紙や樹脂等に貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【図面の簡単な説明】
【００８５】
【図１】本発明の送付体の第１の実施の形態を構成する封筒を示す図であり、（ａ）は内面の構成を示す図、（ｂ）は（ａ）に示したＡ−Ａ’断面図、（ｃ）は表面の構成を示す図である。
【図２】図１に示した封筒に封入される隠蔽はがきを示す図であり、（ａ）は表面の構成を示す図、（ｂ）は（ａ）に示したＡ−Ａ’断面図、（ｃ）は裏面の構成を示す図である。
【図３】図２に示した隠蔽はがきが図１に示した封筒内に封入された状態を示す図であり、（ａ）は前面片側から見た図、（ｂ）は（ａ）に示したＡ−Ａ’断面図である。
【図４】図２に示した隠蔽はがきの情報記入領域上に封筒の分離領域が貼着された状態を示す図であり、（ａ）は隠蔽はがきの裏面から見た図、（ｂ）は（ａ）に示したＡ−Ａ’断面図である。
【図５】図４に示したように隠蔽はがきの情報記入領域上に封筒の分離領域が貼着された後に隠蔽はがきから分離領域が剥離された状態を示す図である。
【図６】本発明の送付体の第２の実施の形態を構成する封筒を示す図であり、（ａ）は内面の構成を示す図、（ｂ）は（ａ）に示したＡ−Ａ’断面図、（ｃ）は表面の構成を示す図である。
【図７】図６に示した封筒に封入される隠蔽はがきを示す図であり、（ａ）は表面の構成を示す図、（ｂ）は（ａ）に示したＡ−Ａ’断面図、（ｃ）は裏面の構成を示す図である。
【図８】図７に示した隠蔽はがきが図６に示した封筒内に封入された状態を示す図であり、（ａ）は前面片側から見た図、（ｂ）は（ａ）に示したＡ−Ａ’断面図である。
【図９】図７に示した隠蔽はがきの情報記入領域上に封筒の分離領域が貼着された状態を示す図であり、（ａ）は隠蔽はがきの裏面から見た図、（ｂ）は（ａ）に示したＡ−Ａ’断面図である。
【図１０】図９に示したように隠蔽はがきの情報記入領域上に封筒の分離領域が貼着された後に隠蔽はがきから分離領域が剥離された状態を示す図である。
【図１１】本発明の送付体の第３の実施の形態を構成する封筒を示す図であり、（ａ）は内面の構成を示す図、（ｂ）は（ａ）に示したＡ−Ａ’断面図、（ｃ）は表面の構成を示す図である。
【図１２】図１１に示した封筒に封入される隠蔽はがきを示す図であり、（ａ）は表面の構成を示す図、（ｂ）は（ａ）に示したＡ−Ａ’断面図、（ｃ）は裏面の構成を示す図である。
【図１３】図１２に示した隠蔽はがきが図１１に示した封筒内に封入された状態を示す図であり、（ａ）は前面片側から見た図、（ｂ）は（ａ）に示したＡ−Ａ’断面図である。
【図１４】図１２に示した隠蔽はがきの情報記入領域上に封筒の分離領域が貼着された状態を示す図であり、（ａ）は隠蔽はがきの表面から見た図、（ｂ）は隠蔽はがきの裏面から見た図である。
【図１５】図１４に示したように隠蔽はがきの情報記入領域上に封筒の分離領域が貼着された後に隠蔽はがきから分離領域が剥離された状態を示す図であり、（ａ）は隠蔽はがきの表面を示す図、（ｂ）は隠蔽はがきの裏面を示す図である。
【符号の説明】
【００８６】
１，１０１，２０１    封筒
１ａ，１０１ａ，２０１ａ    ベース基材
２，１０２，２０２    隠蔽はがき
２ａ，１０２ａ，２０２ａ    はがき基材
１０，１１０，２１０    前面片
１１，６１，１１１，１６１，２１１，２６１    宛先情報
２０，１２０，２２０    後面片
２１，１２１，２２１ａ，２２１ｂ    分離領域
２２，３１，１２２，２２２，２３１    ミシン目
３０，１１２ａ，１１２ｂ，１３０，１３１，２３０    折り線
４０，５０，７０，１４０，１５０，１７０，２４０，２７０    粘着剤
６２，１６２，２６２ａ，２６２ｂ    情報記入領域
６３，１６３，２６３ａ，２６３ｂ    情報
１１３ａ，１１３ｂ    接着部
１８０    フラップ部
【図１】
2006347102.tif 000003
【図２】
2006347102.tif 000004
【図３】
2006347102.tif 000005
【図４】
2006347102.tif 000006
【図５】
2006347102.tif 000007
【図６】
2006347102.tif 000008
【図７】
2006347102.tif 000009
【図８】
2006347102.tif 000010
【図９】
2006347102.tif 000011
【図１０】
2006347102.tif 000012
【図１１】
2006347102.tif 000013
【図１２】
2006347102.tif 000014
【図１３】
2006347102.tif 000015
【図１４】
2006347102.tif 000016
【図１５】
2006347102.tif 000017